(57)【要約】【課題】ＬＬＮＡ、ＬＬＮＡ：ＤＡで蓄積されたデータを直接的に活用できる、簡便な交差感作性の評価方法を提供する。【解決手段】第１の被験物質と第２の被験物質との交差感作性を評価する方法であって、マウスの一方の耳介に第１の被験物質を塗布するステップと、一定期間後に、他方の耳介に第２の被験物質を塗布するステップと、前記他方の耳介に第２の被験物質を塗布するステップから３６〜８０時間後に、前記他方の耳介における惹起反応を検出するステップとを含む、交差感作性評価方法。【選択図】図１
2014085231.tif 000002
【特許請求の範囲】
【請求項１】
第１の被験物質と第２の被験物質との交差感作性を評価する方法であって、
マウスの一方の耳介に第１の被験物質を塗布するステップと、
一定期間後に、他方の耳介に第２の被験物質を塗布するステップと、
前記他方の耳介に第２の被験物質を塗布するステップから３６〜８０時間後に、前記他方の耳介における惹起反応を検出するステップとを含む、交差感作性評価方法。
【請求項２】
他方の耳介に第２の被験物質を塗布するステップの前後２４時間以内に一方の耳介に第１の被験物質を塗布するステップをさらに含む、請求項１に記載の交差感作性評価方法。
【請求項３】
前記他方の耳介に第２の被験物質を塗布するステップの前後２４時間以内に一方の耳介に第１の被験物質を塗布するステップが、前記他方の耳介に第２の被験物質を塗布するステップと同時に、一方の耳介にも第１の被験物質を塗布する、請求項２に記載の交差感作性評価方法。
【請求項４】
前記一定期間が７日以上２週間以内である、請求項１〜３のいずれかに記載の交差感作性評価方法。
【請求項５】
惹起反応の検出が、マウスの左右の耳介リンパ節の重量の測定によって行われる、請求項１〜４のいずれかに記載の交差感作性評価方法。
【請求項６】
惹起反応の検出が、マウスの左右の耳介リンパ節懸濁液のＡＴＰ量の測定によって行われる、請求項１〜４のいずれかに記載の交差感作性評価方法。
【請求項７】
惹起反応の検出が、マウスの左右の耳介の厚みの測定によって行われる、請求項１〜４のいずれかに記載の交差感作性評価方法。
【請求項８】
惹起反応の検出が、マウスの左右の耳介リンパ節のＤＮＡ量の測定によって行われる、請求項１〜４のいずれかに記載の交差感作性評価方法。
【請求項９】
惹起反応の検出が、マウスの左右の耳介の重量の測定によって行われる、請求項１〜４のいずれかに記載の交差感作性評価方法。
【請求項１０】
惹起反応の検出が、マウスの左右の耳介リンパ節のトリチウムチミジンの取り込みの測定によって行われる、請求項１〜４のいずれかに記載の交差感作性評価方法。
【請求項１１】
惹起反応の検出が、マウスの左右の耳介リンパ節のブロムデオキシウリジン（ＢｒｄＵ）の取り込みの測定によって行われる、請求項１〜４のいずれかに記載の交差感作性評価方法。
【発明の詳細な説明】
【技術分野】
【０００１】
本発明は、天然物、化学物質などの交差感作性を簡便に評価する方法に関する。
【背景技術】
【０００２】
ある抗原の免疫で得られた抗体が、別の抗原とも結合反応を示す時、この現象を交差反応といい、その抗原を交差反応性抗原、また抗体を交差反応性抗体という（「生化学辞典  第２版」（株式会社  東京化学同人発行）の「交差反応、交叉反応」）。化粧品、洗剤などの開発において、その主成分の原料、添加剤などとして材料を選択する場合、その材料に触れた消費者などにおいて皮膚免疫応答が惹起される性質を有し（「皮膚感作性」を有する）、さらに、交差反応を引き起こす性質を有する（「交差感作性」を有する）他の天然物、化学物質を探索することは重要である。特に、皮膚感作性を有する物質（皮膚感作性物質）は、消費者の感受性によっては重篤なアレルギー反応を引き起こしてしまう場合もあり、皮膚感作性の有無の検出と共に、交差感作性の評価も特に重要である。
【０００３】
化学物質などによる感作の成立には、大きく分けて、２つの段階があることが知られている。第一の段階は、化学物質が体内に入って、生体内のタンパク質などと結合し、これを樹状細胞が異物として認識し、一連の免疫応答を開始する「感作段階」である。第二の段階は、感作されたリンパ球が全身に広がり、再び、同一の化学物質などが体内に入ったときに、よりすばやく、より激しい応答を呈する「惹起段階」である。すなわち、上述した従来の皮膚感作性を検出する手法は、感作の成立のいずれかの段階を検出することを目的としている。
【０００４】
たとえば、アジュバントを用いるＧＰＭＴ（Guinea Pig Maximization Test）法、アジュバントを用いないビューラー法は、「惹起段階」を検出する手法であり、これらの試験で陽性であるということは、原理的かつ原則的に感作が成立していると判断することができる（たとえば、「経済協力開発機構（ＯＥＣＤ）の化学物質の試験に関するガイドライン」、４０６  皮膚感作性、［平成２４年１０月１７日検索］、インターネット＜ＵＲＬ：http://www.nihs.go.jp/hse/chem-info/oecd/tgj/tg406j.pdf＞（非特許文献１）を参照。）。
【０００５】
たとえば、政本幸三「単純クマリン類の感作性及び交差反応性」、薬学雑誌、121(1)、p97−103（2001）（非特許文献２）、野田勉ら「抗菌剤2,3,5,6−tetrachloro−4−(methylsulfonyl)pyridineのモルモットにおける皮膚感作性とその交差反応性」、生活衛生、Vol. 50, No. 2, p76−83（2006）（非特許文献３）などに記載されているように、天然物、化学物質の交差感作性を明らかにする方法にも、従来は、主にモルモットを用いた試験法を応用した方法が用いられてきた。しかしながら、モルモットを用いた試験法は、惹起を確認するために、試験期間が長いだけでなく、判定が目視による皮膚反応の判定であるため定量的な結果が得られにくい。また、モルモットを用いた試験法であり、動物愛護の観点から代替し得る方法を見出すことが課題とされていた。
【０００６】
近年では、皮膚感作性を検出する方法は、モルモットではなくマウスを用いたＬＬＮＡ（Local Lymph Node Assay、局所リンパ節試験）が主流となっている（たとえば、「経済協力開発機構（ＯＥＣＤ）の化学物質の試験に関するガイドライン」、４２９  皮膚感作：局所リンパ節試験、［平成２４年１０月１７日検索］、インターネット＜ＵＲＬ：http://www.nihs.go.jp/hse/chem-info/oecd/tgj/tg429j.pdf＞（非特許文献４）を参照。）。ＬＬＮＡは、「感作段階」を検出する手法であり、試験開始１日目、２日目、３日目に、マウスの両耳に被験物質を塗布した後、６日目に、マウスから耳介リンパ節を採取する。被験物質が皮膚感作性物質であれば、耳介リンパ節においてリンパ球の増殖を惹起する。リンパ球の増殖は適用された用量（アレルゲンの効力）に比例するため、ＬＬＮＡでは、短い試験期間で、客観的かつ定量的に簡単に皮膚感作性を検出することができる。
【０００７】
しかしながら、上述のＬＬＮＡは、感作性の検出にラジオアイソトープ（ＲＩ）である３H-thymidineを用いることから、日本においては実施できる施設に制限があるという実情があった。本発明者らは、ＬＬＮＡの改良法として、放射性物質を用いずに、生物発光によりＡＴＰ（アデノシン三リン酸）を定量することでリンパ球の増殖の指標とする、ＬＬＮＡ：ＤＡ（modified LLNA of Daicel based on ATP）を提案した（たとえば、「経済協力開発機構（ＯＥＣＤ）の化学物質の試験に関するガイドライン」、４４２Ａ  皮膚感作性：局所リンパ節試験：ＤＡ、［平成２４年１０月１７日検索］、インターネット＜ＵＲＬ：http://www.nihs.go.jp/hse/chem-info/oecd/tgj/tg442aj.pdf＞（非特許文献５）を参照。）。
【０００８】
近年では、ＬＬＮＡ、ＬＬＮＡ：ＤＡにより、多くの定量的データが蓄積されてきているものの、ＬＬＮＡ、ＬＬＮＡ：ＤＡでは、「感作段階」を評価する手法であるため原則的に、交差感作性の評価には使用できない。
【０００９】
また交差感作性を定量的に評価する方法として、たとえば李卿ら「リンパ球幼若化反応法を用いたDNCBとDNBSによる接触アレルギー反応のin vitro評価」、産業医学、33(6)、p509−518（1991）（非特許文献６）には、感作された動物から単離したリンパ球を用いて交差感作を定量的に評価する可能性を有する方法も提案されているが、この方法では幼若化反応の検出に放射性物質を用いなければならないという問題がある。
【００１０】
このように現在のところ、マウスを用いて、ＬＬＮＡ、ＬＬＮＡ：ＤＡで蓄積されたデータを直接的に活用できる交差感作性の評価方法は存在しない。
【先行技術文献】
【非特許文献】
【００１１】
【非特許文献１】「経済協力開発機構（ＯＥＣＤ）の化学物質の試験に関するガイドライン」、４０６  皮膚感作性、［平成２４年１０月１７日検索］、インターネット＜ＵＲＬ：http://www.nihs.go.jp/hse/chem-info/oecd/tgj/tg406j.pdf＞
【非特許文献２】政本幸三「単純クマリン類の感作性及び交差反応性」、薬学雑誌、121(1)、p97−103（2001）
【非特許文献３】野田勉ら「抗菌剤2,3,5,6−tetrachloro−4−(methylsulfonyl)pyridineのモルモットにおける皮膚感作性とその交差反応性」、生活衛生、Vol. 50, No. 2, p76−83（2006）
【非特許文献４】「経済協力開発機構（ＯＥＣＤ）の化学物質の試験に関するガイドライン」、４２９  皮膚感作：局所リンパ節試験、［平成２４年１０月１７日検索］、インターネット＜ＵＲＬ：http://www.nihs.go.jp/hse/chem-info/oecd/tgj/tg429j.pdf＞
【非特許文献５】「経済協力開発機構（ＯＥＣＤ）の化学物質の試験に関するガイドライン」、４４２Ａ  皮膚感作性：局所リンパ節試験：ＤＡ、［平成２４年１０月１７日検索］、インターネット＜ＵＲＬ：http://www.nihs.go.jp/hse/chem-info/oecd/tgj/tg442aj.pdf＞
【非特許文献６】李卿ら「リンパ球幼若化反応法を用いたDNCBとDNBSによる接触アレルギー反応のin vitro評価」、産業医学、33(6)、p509−518（1991）
【発明の概要】
【発明が解決しようとする課題】
【００１２】
本発明は、上記課題を解決するためになされたものであって、その目的とするところは、ＬＬＮＡ、ＬＬＮＡ：ＤＡで蓄積されたデータを直接的に活用できる、簡便な交差感作性の評価方法を提供することである。
【課題を解決するための手段】
【００１３】
本発明の交差感作性評価方法は、第１の被験物質と第２の被験物質との交差感作性を評価する方法であって、マウスの一方の耳介に第１の被験物質を塗布するステップと、一定期間後に、他方の耳介に第２の被験物質を塗布するステップと、前記他方の耳介に第２の被験物質を塗布するステップから３６〜８０時間後に、前記他方の耳介における惹起反応を検出するステップとを含むことを特徴とする。
【００１４】
本発明の交差感作性評価方法は、他方の耳介に第２の被験物質を塗布するステップの前後２４時間以内に一方の耳介に第１の被験物質を塗布するステップをさらに含むことが好ましい。
【００１５】
また本発明の交差感作性評価試験では、前記他方の耳介に第２の被験物質を塗布するステップの前後２４時間以内に一方の耳介に第１の被験物質を塗布するステップが、前記他方の耳介に第２の被験物質を塗布するステップと同時に、一方の耳介にも第１の被験物質を塗布することが好ましい。
【００１６】
本発明の交差感作性評価方法における一定期間は、７日以上２週間以内であることが好ましい。
【００１７】
また本発明の交差感作性評価方法は、惹起反応の検出を、以下の（ａ）〜（g）の少なくともいずれかの方法によって行うことが好ましい。
【００１８】
（ａ）マウスの左右の耳介リンパ節の重量を測定する、
（ｂ）マウスの左右の耳介リンパ節懸濁液のＡＴＰ量を測定する、
（ｃ）マウスの左右の耳介の厚みを測定する、
（ｄ）マウスの左右の耳介リンパ節のＤＮＡ量を測定する、
（ｅ）マウスの左右の耳介の重量を測定する、
（ｆ）マウスの左右の耳介リンパ節のトリチウムチミジン取り込み量を測定する、
（ｇ）マウスの左右の耳介のリンパ節のブロムデオキシウリジン（ＢｒｄＵ）取り込み量を測定する。
【発明の効果】
【００１９】
本発明によれば、ＬＬＮＡ、ＬＬＮＡ：ＤＡで蓄積されたデータを直接的に活用できる、簡便な交差感作性の評価方法を提供することができる。
【図面の簡単な説明】
【００２０】
【図１】本発明の交差感作性評価方法の好ましい第１の例を模式的に示す図である。
【図２】本発明の交差感作性評価方法の好ましい第２の例を模式的に示す図である。
【図３】実験例１のケージ１、２についての結果を示すグラフであり、図３（ａ）では、縦軸は耳介リンパ節の重量（ｍｇ）、横軸は各ケージの番号を示し、図３（ｂ）では、縦軸はＡＴＰ量（ＲＬＵ）、横軸は各ケージの番号を示している。
【図４】実験例１のケージ３、４についての結果を示すグラフであり、図４（ａ）では、縦軸は耳介リンパ節の重量（ｍｇ）、横軸は各ケージの番号を示し、図４（ｂ）では、縦軸はＡＴＰ量（ＲＬＵ）、横軸は各ケージの番号を示している。
【図５】実験例１のケージ５、６についての結果を示すグラフであり、図５（ａ）では、縦軸は耳介リンパ節の重量（ｍｇ）、横軸は各ケージの番号を示し、図５（ｂ）では、縦軸はＡＴＰ量（ＲＬＵ）、横軸は各ケージの番号を示している。
【図６】実験例１のケージ７、８についての結果を示すグラフであり、図６（ａ）では、縦軸は耳介リンパ節の重量（ｍｇ）、横軸は各ケージの番号を示し、図６（ｂ）では、縦軸はＡＴＰ量（ＲＬＵ）、横軸は各ケージの番号を示している。
【図７】実験例１のケージ９〜１１についての結果を示すグラフであり、図７（ａ）では、縦軸は耳介リンパ節の重量（ｍｇ）、横軸は各ケージの番号を示し、図７（ｂ）では、縦軸はＡＴＰ量（ＲＬＵ）、横軸は各ケージの番号を示している。
【発明を実施するための形態】
【００２１】
図１は、本発明の交差感作性評価方法の好ましい第１の例を模式的に示す図である。本発明の交差感作性評価方法は、以下のステップを含む。
【００２２】
（１）マウス１の一方の耳介２に第１の被験物質を塗布するステップ（ステップＳ１）、
（２）一定期間後に、他方の耳介３に第２の被験物質を塗布するステップ（ステップＳ２）、
（３）前記ステップＳ２から３６〜８０時間後に、前記他方の耳介３における惹起反応を検出するステップ（ステップＳ３）。
【００２３】
ここで、本発明の交差感作性評価方法に用いるマウスについては特に限定されないが、これまで世界的に多くの統計データが蓄積されてきたＬＬＮＡ、ＬＬＮＡ：ＤＡとの相関性が高ければ、ＬＬＮＡ、ＬＬＮＡ：ＤＡと試験結果を照合しやすくなることから、たとえばＣＢＡ／Ｊの系統の未経産で非妊娠の若齢（８〜１２週齢）の雌マウスなど、ＬＬＮＡ、ＬＬＮＡ：ＤＡに従来よりよく用いられているマウスを用いることが好ましい。
【００２４】
本発明の交差感作性評価方法におけるステップＳ１では、まず、マウス１の一方の耳介２に第１の被験物質を塗布する。ここで、「耳介」は、マウスの外耳のうち外側に張り出している部分を指す。第１の被験物質を塗布する部分は耳介に含まれるいずれの領域であってもよいが、塗布のしやすさ、ＬＬＮＡ、ＬＬＮＡ：ＤＡで蓄積されたデータと比較しやすいなどの観点から、耳背部の領域が好ましい。
【００２５】
本発明において用いられる「被験物質」は、第１の被験物質、第２の被験物質のいずれにおいても、溶媒または分散媒に溶解または分散させることでマウスの耳介に塗布可能となる被験物質塗布液（第１の被験物質塗布液、第２の被験物質塗布液）にそれぞれ調製できるものであればよく、皮膚感作性物質、皮膚刺激性物質（皮膚に一過性の刺激を与える性質（皮膚刺激性）を有する物質）、その他皮膚感作性、皮膚刺激性のいずれも示さない物質など、未知の材料、公知の材料のいずれもを包含する。なお、第１の被験物質、第２の被験物質のいずれにおいても非特許文献５に記載された定義に沿って、単一の化合物であってもよく、また、多成分（最終製品、調製物など）からなるものであってもよい。溶媒、分散媒などは、当分野において用いられている公知の溶媒、分散媒を第１の被験物質、第２の被験物質に応じて用いればよく、たとえば、アセトン／オリーブオイル（４：１（ｖ／ｖ））(ＡＯＯ）、Ｎ，Ｎ−ジメチルホルムアミド、メチルエチルケトン、プロピレングリコール、ジメチルスルホキシドなどを挙げることができる。中でも、陽性対照（ＰＣ）として用いた場合に一貫した応答を示すことから、アセトン／オリーブオイル（４：１（ｖ／ｖ））(ＡＯＯ）が好ましい。
【００２６】
「皮膚感作性物質」とは、個体が誘導性アレルゲンに局所的に曝露された際に生じる免疫学的過程によって皮膚免疫応答を惹起し、その結果、接触感作性の発現に至る性質（皮膚感作性）を有する物質を指す。このような皮膚感作性物質としては、たとえば、パラフェニレンジアミン、オルトフェニレンジアミン、α−ヘキシルシンナミックアルデヒド（ＨＣＡ）、イソオイゲノール、ジニトロクロロベンゼン（ＤＮＣＢ）、オイゲノール、パラフェニレンジアミン、コバルトクロライド、シトラル、イミダゾイルウレア、２，４−ジニトロフルオロベンゼン（ＤＮＦＢ）、エチレングリコールジメタクリレート（ＥＧ）などが知られている。
【００２７】
本発明の交差感作性評価方法において、ステップＳ１で一方の耳介２に塗布する第１の被験物質の量（投与量）は、ＬＬＮＡ、ＬＬＮＡ：ＤＡで採用される基準（非特許文献４、５などを参照）で調製されることが好ましいが、これに限定されるものではない。第１の被験物質塗布液中の第１の被験物質の濃度についても特に制限されるものではないが、耳介が欠損するなどの著しい毒性、腐食性を示さない濃度であれば、０．０１〜１００％（ｗ／ｖ）の範囲内であることが好ましく、また、たとえば、ＬＬＮＡ、ＬＬＮＡ：ＤＡなどで求めたＥＣ３の値の、０．２倍から５０倍の範囲内であることがより好ましい。これは、化学物質などの、刺激性および感作性にはばらつきがあるが、本試験法では、交差感作性の評価に影響を与える刺激性の影響を無視して、交差感作性を評価できるためであると共に、ＬＬＮＡ、ＬＬＮＡ：ＤＡで得られた結果を有効に活用できるためである。
【００２８】
また本発明において、ステップＳ１における第１の被験物質塗布液の塗布回数は、１回の塗布量、第１の被験物質塗布液中の第１の被験物質の濃度、感作性の強さにも依存するが、１〜１０回であることが好ましく、１〜３回であることがより好ましく、ＬＬＮＡ、ＬＬＮＡ：ＤＡとの相関性を高めることができる観点からは３回であることが特に好ましい。なお、第１の被験物質を塗布する耳介の領域は、複数回の塗布ごとに（たとえば１回目の塗布と２回目の塗布とで）同じであってもよいし、同じ側の耳介であれば異なっていてもよい。また、ステップＳ１における塗布の間隔についても特に制限されないが、ＬＬＮＡとの相関性を高めることができることから、ＬＬＮＡで採用されているように１日目、２日目、３日目に塗布することが好ましい。この場合、各塗布の間に少なくとも１２時間以上の間隔をあけることが好ましく、同一の時刻に塗布するようにすることが特に好ましい。
【００２９】
なお、ＬＬＮＡ：ＤＡにおいて、第１の被験物質を塗布する前に、ドデシル硫酸ナトリウム（ＳＤＳ）などを予め第１の被験物質を塗布する耳介に塗布しておくことで、検出の感度が上昇することが知られており、本発明の交差感作性評価方法においても、これを採用してもよい。ＳＤＳを用いる場合、その濃度は、０．０１〜１０％の範囲が好ましく、０．１〜１％の範囲がより好ましい。
【００３０】
続くステップＳ２では、一定期間後に、他方の耳介３に、第１の被験物質とは異なる第２の被験物質を塗布する。この「一定期間」について特に制限するものではないが、第１の被験物質が皮膚感作性物質である場合には、この一定期間が当該皮膚感作性物質による感作開始から惹起までの期間となることから、７日以上２週間以内であることが好ましく、９日以上１２日以内であることがより好ましく、１０日以上１１日以内であることが特に好ましい。一定期間が７日未満であると、第１の被験物質が皮膚感作性物質であった場合に、感作されたリンパ球の伝播による全身の感作が未だ起こっていないか起こっていたとしても、第２の被験物質との間に交差感作性を有するかを評価するには不十分である傾向にあり、また、２週間を超えても、交差感作性の評価は可能であると考えるが、従来のモルモットを用いた試験と比較して、試験期間の短縮というメリットが薄れてしまう。
【００３１】
本発明の交差感作性評価方法において、ステップＳ２で他方の耳介３に塗布する第２の被験物質の量（投与量）、第２の被験物質塗布液中の第２の被験物質の濃度についても特に制限はされないが、ＬＬＮＡ、ＬＬＮＡ：ＤＡの豊富なデータを活用するという理由からは、ステップＳ１において一方の耳介２に塗布した１回分の第１の被験物質の量、濃度と同程度であることが好ましい。また、ステップＳ２における第２の被験物質塗布液の塗布回数について特に制限されないが、１回であることが好ましい。
【００３２】
本発明の交差感作性評価方法におけるステップＳ３では、ステップＳ２で第２の被験物質を塗布した他方の耳介３における惹起反応を検出する。本発明においては、この惹起反応の検出を、ステップＳ２から３６〜８０時間後に行なうことを大きな特徴とする。惹起反応の検出がステップＳ２から３６時間未満である場合には、耳介３のリンパ節の増殖が交差反応を科学的に検出するには不十分である場合があるためであり、８０時間を超える場合には、試験期間が十分な検出を行うのに必要以上に長期化するためである。感作期間を十分に確保し、なおかつ試験を２週間以内に実施することでモルモットを用いる方法より短期間で試験結果を得るという観点からは、好ましくはステップＳ２から４０〜７２時間後、特に好ましくはステップＳ２から４２〜５４時間後に惹起反応の検出を行なうことが好ましい。
【００３３】
ステップＳ３における惹起反応を検出する方法は、耳介リンパ節の増殖、皮膚反応を定量化できるのであれば特に制限されるものではなく、公知の方法を必要に応じて適宜組み合わせて行うことができるが、以下の（ａ）〜（ｇ）の少なくともいずれかの方法によって行い、コントロール群と比較することが好ましい。
【００３４】
（ａ）マウスの左右の耳介リンパ節の重量を測定する、
（ｂ）マウスの左右の耳介リンパ節懸濁液のＡＴＰ量を測定する、
（ｃ）マウスの左右の耳介の厚みを測定する、
（ｄ）マウスの左右の耳介リンパ節のＤＮＡ量を測定する、
（ｅ）マウスの左右の耳介の重量を測定する、
（ｆ）マウスの左右の耳介リンパ節のトリチウムチミジン取り込み量を測定する、
（ｇ）マウスの左右の耳介のリンパ節のブロムデオキシウリジン（ＢｒｄＵ）取り込み量を測定する。
【００３５】
上述した（ａ）〜（ｇ）の方法は、いずれも公知であり、たとえば非特許文献４、５を含めた公知文献を適宜参照することで当業者であれば容易に実施可能である。なお、（ａ）マウスの左右の耳介リンパ節の重量を測定することで惹起反応を検出する場合には、汎用されている安価な精密電子天秤が使用できるという利点があり、（ｂ）マウスの左右の耳介リンパ節懸濁液のＡＴＰ量を測定することで惹起反応を検出する場合には、ＬＬＮＡ：ＤＡのデータと比較することにより、感作の程度を類推できるという利点がある。また、（ｃ）マウスの左右の耳介の厚みを測定することで惹起反応を検出する場合には、２０１０年７月に改定されたＴＧ４２９、ＴＧ４４２Ａ、ＴＧ４４２Ｂの実施の過程で取得できる耳介厚のデータが活用できるという利点があり、（ｄ）マウスの左右の耳介リンパ節のＤＮＡ量を測定することで惹起反応を検出する場合には、豊富に市販されているＤＮＡ精製キットを用いることにより、施設間でばらつきの少ないデータが取得できるという利点がある。（ｅ）マウスの左右の耳介の重量を測定することで惹起反応を検出する場合には、汎用されている安価な精密電子天秤が使用でき、また、作業者の熟練度の差が生じにくい可能性が高いという利点がある。（ｆ）マウスの左右の耳介リンパ節のトリチウムチミジン取り込み量を測定する場合には、ＬＬＮＡ法（ＴＧ４２９）で十分確立されている手法が応用可能である。（ｇ）マウスの左右の耳介のリンパ節のブロムデオキシウリジン（ＢｒｄＵ）取り込み量を測定する場合には、ＬＬＮＡ−ＢｒｄＵ法（ＴＧ４４２Ｂ）で十分確立されている手法が応用可能である。
【００３６】
上述したステップＳ１〜Ｓ３を含む本発明の交差感作性評価方法によれば、マウスを用いて、ＬＬＮＡ、ＬＬＮＡ：ＤＡで蓄積されたデータを直接的に活用した、簡便な交差感作性の評価が可能となる。
【００３７】
ここで、図２は、本発明の交差感作性評価方法の好ましい第２の例を模式的に示す図である。本発明の交差感作性評価方法は、上述したステップＳ１〜Ｓ３に加え、他方の耳介に第２の被験物質を塗布するステップの前後２４時間以内に、一方の耳介に第１の被験物質を塗布するステップ（ステップＳ２’）をさらに含むことが好ましい。このようなステップＳ２’をさらに含むことで、上述のように、ステップＳ３において、他方の耳介で交差感作性を検出するとともに、一方の耳介で十分な感作が成立していることを確認することができる。
【００３８】
ステップＳ２’は、ステップＳ２の前後２４時間以内に行なう。２４時間を超えてステップＳ２よりも前にステップＳ２’を行なった場合には、ステップＳ２’で投与した被験物質１が他方の耳介へ直接影響を与える可能性があるという虞があるためであり、また、２４時間を超えてステップＳ２よりも後にステップＳ２’を行なった場合には、ステップ２で投与した被験物質１が他方の耳介へ影響を与え、被験物質１による感作レベルが正確に評価できなくなるという虞があるためである。被験物質の交差感作性を正確に評価するためには、ステップＳ２’は、ステップＳ２の前後２４時間以内に行なうことがより好ましく、１２時間以内に行なうことがさらに好ましい。また、効率的に、連続的な作業で無駄なく本発明の交差感作性評価方法を行なう観点からは、ステップＳ２’は、ステップＳ２と同時に行なうことが好ましい。
【００３９】
本発明の交差感作性評価方法において、ステップＳ２’において一方の耳介２に塗布する第１の被験物質の量（投与量）、第１の被験物質塗布液中の第１の被験物質の濃度についても特に制限されるものではないが、ＬＬＮＡ、ＬＬＮＡ：ＤＡの豊富なデータを活用するという理由からは、ステップＳ１において一方の耳介２に塗布した１回分の第１の被験物質の量、濃度と同程度であることが好ましい。また、ステップＳ２’における第１の被験物質塗布液の塗布回数についても特に制限されないが、１回であることが好ましい。
【００４０】
以下、実験例を挙げて本発明をより詳細に説明するが、本発明はこれらに限定されるものではない。
【００４１】
＜実験例１＞
ＣＢＡ／Ｊの系統の未経産で非妊娠の若齢（８〜１２週齢）の雌マウスを各ケージごとに５匹個体識別ができるように飼育し、試験開始時および終了時に体重を測定した。
【００４２】
また、溶媒としてアセトン／オリーブオイル（４：１（ｖ／ｖ））（ＡＯＯ）を用い、以下の被験物質塗布液をそれぞれ調製した。
【００４３】
・０．２５％（ｗ／ｖ）  ２，４−ジニトロフルオロベンゼン（ＤＮＦＢ）／ＡＯＯ溶液、
・０．２５％（ｗ／ｖ）  ジニトロクロロベンゼン（ＤＮＣＢ）／ＡＯＯ溶液、
・１％（ｗ／ｖ）  ｐ−ベンゾキノン（ｐ−ＢＱ）／ＡＯＯ溶液、
・１％（ｗ／ｖ）  ハイドロキノン（ＨＱ）／ＡＯＯ溶液、
・２５％（ｗ／ｖ）  α−ヘキシルシンナミックアルデヒド（ＨＣＡ）／ＡＯＯ溶液。
【００４４】
以下のように、各ケージごとに、操作を行った。なお、１回の塗布量は２５μｌとした。被験物質塗布液の塗布には、ピペットマンを用いた。
【００４５】
（ＤＮＦＢとＤＮＣＢとの間の交差感作性評価）
・ケージ１：１、２、３日目、同じ時刻（およそ１３時）にマウスの右耳に０．２５％（ｗ／ｖ）  ＤＮＦＢ／ＡＯＯ溶液（第１の被験物質塗布液）を塗布し、１０日目の同じ時刻に右耳に０．２５％（ｗ／ｖ）  ＤＮＦＢ／ＡＯＯ溶液（第１の被験物質塗布液）、左耳に０．２５％（ｗ／ｖ）  ＤＮＣＢ／ＡＯＯ溶液（第２の被験物質塗布液）を塗布した後、１２日目の同じ時刻に左右両方の耳介リンパ節を摘出して重量を測定（精密化学天秤を使用）後、調製したマウスの左右の耳介リンパ節懸濁液のＡＴＰ量（発光量：Relative Light Unit（ＲＬＵ））を測定（以下、「Ｒ４Ｌ１」（右耳４回、左耳１回の意）とも表記）、
・ケージ２：１０日目のみ（およそ１３時）にマウスの左耳に０．２５％（ｗ／ｖ）  ＤＮＣＢ／ＡＯＯ溶液（第２の被験物質塗布液）を塗布した後、１２日目の同じ時刻に左右両方の耳介リンパ節を摘出し、ケージ１と同様に重量を測定後、ＡＴＰ量を測定（以下、「Ｒ０Ｌ１」（右耳０回、左耳１回の意）とも表記）、
・ケージ３：１、２、３日目、同じ時刻（およそ１３時）にマウスの右耳に０．２５％（ｗ／ｖ）  ＤＮＣＢ／ＡＯＯ溶液（第１の被験物質塗布液）を塗布し、１０日目の同じ時刻に右耳に０．２５％（ｗ／ｖ）  ＤＮＣＢ／ＡＯＯ溶液（第１の被験物質塗布液）、左耳に０．２５％（ｗ／ｖ）  ＤＮＦＢ／ＡＯＯ溶液（第２の被験物質塗布液）を塗布した後、１２日目の同じ時刻に左右両方の耳介リンパ節を摘出し、ケージ１と同様に重量を測定後、ＡＴＰ量を測定（以下、「Ｒ４Ｌ１」（右耳４回、左耳１回の意）とも表記）、
・ケージ４：１０日目のみ（およそ１３時）にマウスの左耳に０．２５％（ｗ／ｖ）  ＤＮＦＢ／ＡＯＯ溶液（第２の被験物質塗布液）を塗布し、１２日目の同じ時刻に左右両方の耳介リンパ節を摘出し、ケージ１と同様に重量を測定後、ＡＴＰ量を測定（以下、「Ｒ０Ｌ１」（右耳０回、左耳１回の意）とも表記）。
【００４６】
それぞれ、摘出した耳介リンパ節は、リン酸バッファー中に懸濁して耳介リンパ節懸濁液を調製し、ルミテスターＣ−１００Ｎおよびルシフェール２５０プラス（キッコーマンバイオケミファ株式会社製）を用いて、各耳介リンパ節懸濁液中のＡＴＰ量を測定した。
【００４７】
図３は、この実験例１のケージ１、２についての結果を示すグラフであり、図３（ａ）では、縦軸は耳介リンパ節の重量（ｍｇ）、横軸は各ケージの番号を示し、図３（ｂ）では、縦軸はＡＴＰ量（ＲＬＵ）、横軸は各ケージの番号を示している。また図４は、実験例１のケージ３、４についての結果を示すグラフであり、図４（ａ）では、縦軸は耳介リンパ節の重量（ｍｇ）、横軸は各ケージの番号を示し、図４（ｂ）では、縦軸はＡＴＰ量（ＲＬＵ）、横軸は各ケージの番号を示している。図３に示す結果から、０．２５％（ｗ／ｖ）  ＤＮＦＢ／ＡＯＯ溶液を４回右耳に塗布し、０．２５％（ｗ／ｖ）  ＤＮＣＢ／ＡＯＯ溶液を１回左耳に塗布した場合（Ｒ４Ｌ１（ケージ１））と、左耳のみ１回０．２５％（ｗ／ｖ）  ＤＮＣＢ／ＡＯＯ溶液を塗布した場合（Ｒ０Ｌ１（ケージ２））とを比較すると、Ｒ４Ｌ１の方が、左耳の耳介リンパ節が優位に増殖しており、交差感作性が検出された。また図４に示す結果から、０．２５％（ｗ／ｖ）  ＤＮＣＢ／ＡＯＯ溶液を４回右耳に塗布し、０．２５％（ｗ／ｖ）  ＤＮＦＢ／ＡＯＯ溶液を１回左耳に塗布した場合（Ｒ４Ｌ１（ケージ３））と、左耳のみ１回０．２５％（ｗ／ｖ）  ＤＮＦＢ／ＡＯＯ溶液を塗布した場合（Ｒ０Ｌ１（ケージ４））とを比較すると、Ｒ４Ｌ１の方が、左耳の耳介リンパ節が優位に増殖しており、交差感作性が検出された。
【００４８】
（ｐ−ＢＱとＨＱとの間の交差感作性評価）
・ケージ５：１、２、３日目、同じ時刻（およそ１３時）にマウスの右耳に１％（ｗ／ｖ）  ｐ−ＢＱ／ＡＯＯ溶液（第１の被験物質塗布液）を塗布し、１０日目の同じ時刻に右耳に１％（ｗ／ｖ）  ｐ−ＢＱ／ＡＯＯ溶液（第１の被験物質塗布液）、左耳に１％（ｗ／ｖ）  ＨＱ／ＡＯＯ溶液（第２の被験物質塗布液）を塗布した後、１２日目の同じ時刻に左右両方の耳介リンパ節を摘出し、ケージ１と同様に重量を測定後、ＡＴＰ量を測定（以下、「Ｒ４Ｌ１」（右耳４回、左耳１回の意）とも表記）、
・ケージ６：１０日目のみ（およそ１３時）にマウスの左耳に１％（ｗ／ｖ）  ＨＱ／ＡＯＯ溶液（第２の被験物質塗布液）を塗布した後、１２日目の同じ時刻に左右両方の耳介リンパ節を摘出し、ケージ１と同様に重量を測定後、ＡＴＰ量を測定（以下、「Ｒ０Ｌ１」（右耳０回、左耳１回の意）とも表記）、
・ケージ７：１、２、３日目、同じ時刻（およそ１３時）にマウスの右耳に１％（ｗ／ｖ）  ＨＱ／ＡＯＯ溶液（第１の被験物質塗布液）を塗布し、１０日目の同じ時刻に右耳に１％（ｗ／ｖ）  ＨＱ／ＡＯＯ溶液（第１の被験物質塗布液）、左耳に１％（ｗ／ｖ）  ｐ−ＢＱ／ＡＯＯ溶液（第２の被験物質塗布液）を塗布した後、１２日目の同じ時刻に左右両方の耳介リンパ節を摘出し、ケージ１と同様に重量を測定後、ＡＴＰ量を測定（以下、「Ｒ４Ｌ１」（右耳４回、左耳１回の意）とも表記）、
・ケージ８：１０日目のみ（およそ１３時）にマウスの左耳に１％（ｗ／ｖ）  ｐ−ＢＱ／ＡＯＯ溶液（第２の被験物質塗布液）を塗布し、１２日目の同じ時刻に左右両方の耳介リンパ節を摘出し、ケージ１と同様に重量を測定後、ＡＴＰ量を測定（以下、「Ｒ０Ｌ１」（右耳０回、左耳１回の意）とも表記）。
【００４９】
図５は、この実験例１のケージ５、６についての結果を示すグラフであり、図５（ａ）では、縦軸は耳介リンパ節の重量（ｍｇ）、横軸は各ケージの番号を示し、図５（ｂ）では、縦軸はＡＴＰ量（ＲＬＵ）、横軸は各ケージの番号を示している。また図６は、実験例１のケージ７、８についての結果を示すグラフであり、図６（ａ）では、縦軸は耳介リンパ節の重量（ｍｇ）、横軸は各ケージの番号を示し、図６（ｂ）では、縦軸はＡＴＰ量（ＲＬＵ）、横軸は各ケージの番号を示している。図５に示す結果から、１％（ｗ／ｖ）  ｐ−ＢＱ／ＡＯＯ溶液を４回右耳に塗布し、１％（ｗ／ｖ）  ＨＱ／ＡＯＯ溶液を１回左耳に塗布した場合（Ｒ４Ｌ１（ケージ５））と、左耳のみ１回１％（ｗ／ｖ）  ＨＱ／ＡＯＯ溶液を塗布した場合（Ｒ０Ｌ１（ケージ６））とを比較すると、Ｒ４Ｌ１の方が、左耳の耳介リンパ節が優位に増殖しており、交差感作性が検出された。また図６に示す結果から、１％（ｗ／ｖ）  ＨＱ／ＡＯＯ溶液を４回右耳に塗布し、１％（ｗ／ｖ）  ｐ−ＢＱ／ＡＯＯ溶液を１回左耳に塗布した場合（Ｒ４Ｌ１（ケージ７））と、左耳のみ１回１％（ｗ／ｖ）  ｐ−ＢＱ／ＡＯＯ溶液を塗布した場合（Ｒ０Ｌ１（ケージ８））とを比較すると、Ｒ４Ｌ１の方が、左耳の耳介リンパ節が優位に増殖しており、交差感作性が検出された。
【００５０】
（ＤＮＦＢとＨＣＡとの間の交差感作性評価）
・ケージ９：１、２、３日目、同じ時刻（およそ１３時）にマウスの右耳に０．２５％（ｗ／ｖ）  ＤＮＦＢ／ＡＯＯ溶液（第１の被験物質塗布液）を塗布し、１０日目の同じ時刻に右耳および左耳に０．２５％（ｗ／ｖ）  ＤＮＦＢ／ＡＯＯ溶液（第１の被験物質塗布液）を塗布した後、１２日目の同じ時刻に左右両方の耳介リンパ節を摘出し、ケージ１と同様に重量を測定後、ＡＴＰ量を測定、
・ケージ１０：１、２、３日目、同じ時刻（およそ１３時）にマウスの右耳に０．２５％（ｗ／ｖ）  ＤＮＦＢ／ＡＯＯ溶液（第１の被験物質塗布液）を塗布し、１０日目の同じ時刻に右耳に０．２５％（ｗ／ｖ）  ＤＮＦＢ／ＡＯＯ溶液（第１の被験物質塗布液）、左耳に２５％（ｗ／ｖ）  ＨＣＡ／ＡＯＯ溶液（第２の被験物質塗布液）を塗布した後、１２日目の同じ時刻に左右両方の耳介リンパ節を摘出し、ケージ１と同様に重量を測定後、ＡＴＰ量を測定、
・ケージ１１：１０日目のみ（およそ１３時）にマウスの左耳に２５％（ｗ／ｖ）  ＨＣＡ／ＡＯＯ溶液（第２の被験物質塗布液）を塗布した後、１２日目の同じ時刻に左右両方の耳介リンパ節を摘出し、ケージ１と同様に重量を測定後、ＡＴＰ量を測定。
【００５１】
図７は、この実験例１のケージ９〜１１についての結果を示すグラフであり、図７（ａ）では、縦軸は耳介リンパ節の重量（ｍｇ）、横軸は各ケージの番号を示し、図７（ｂ）では、縦軸はＡＴＰ量（ＲＬＵ）、横軸は各ケージの番号を示している。図７に示す結果から、０．２５％（ｗ／ｖ）  ＤＮＦＢ／ＡＯＯ溶液を４回右耳に塗布し、０．２５％（ｗ／ｖ）  ＤＮＦＢ／ＡＯＯ溶液を１回左耳に塗布した場合（Ｒ４Ｌ１（ケージ９））、左耳の耳介リンパ節の増大が認められたが、０．２５％（ｗ／ｖ）  ＤＮＦＢ／ＡＯＯ溶液を４回右耳に塗布し、２５％（ｗ／ｖ）  ＨＣＡ／ＡＯＯ溶液を１回左耳に塗布した場合（Ｒ４Ｌ１（ケージ１０））と、左耳のみ１回２５％（ｗ／ｖ）  ＨＣＡ／ＡＯＯ溶液を塗布した場合（Ｒ０Ｌ１（ケージ１１））とを比較すると、左耳の耳介リンパ節の増殖に差は認められなかった。
【００５２】
今回開示された実施の形態および実験例は全ての点で例示であって制限的なものではないと考えられるべきである。本発明の範囲は上記した説明ではなくて特許請求の範囲によって示され、特許請求の範囲と均等の意味および範囲内での全ての変更が含まれることが意図される。
【図１】
2014085231.tif 000003
【図２】
2014085231.tif 000004
【図３】
2014085231.tif 000005
【図４】
2014085231.tif 000006
【図５】
2014085231.tif 000007
【図６】
2014085231.tif 000008
【図７】
2014085231.tif 000009